(57)【要約】  コンピュータが、当該コンピュータと特定のサービス・プロバイダ又はアンダーライタに暗号的にリンクされた個別のライセンスを用い計測された態様で使用をライセンスするシステムに参加する。このコンピュータは、暗号ユニットと、安全なメモリと、計測された動作とセキュリティ・ポリシの順守とを可能にする安全な実行環境の一部であるサンクション及び計測機能とを有する。ライセンスに対する支払いは、リクエストの確認と証明書及び鍵の対の生成とライセンスへの署名とに関する暗号機能にアクセス可能なサーバにおいて生成されたライセンスを用いた支払いシステムを介してなされる。
2009508257.tif 000002
【特許請求の範囲】
【請求項１】
コンピュータ資産の使用をライセンスする方法であって、
サーバにおいて、前記コンピュータ資産の計測された使用に対するライセンスのリクエストを受け取るステップであって、前記リクエストは前記コンピュータ資産を含むコンピュータを一意的に識別する識別子を含む、ステップと、
前記コンピュータ資産の前記計測された使用に対するライセンスであって前記識別子を組み入れたライセンスを生成するステップと、
前記ライセンスを前記コントローラにおいて受け取るステップと、
前記ライセンスを確認するステップと、
前記ライセンスの確認が成功した後で前記コンピュータ資産を使用するステップと、
前記コンピュータ資産の使用を計測するステップと、
支払いスケジュールと前記計測とに対応するレートで前記ライセンスと関連付けられた値を消費するステップと、
前記ライセンスと関連付けられた値がスレショルドに達したら、前記コンピュータ資産の使用を制限するステップと、
を含むことを特徴とする方法。
【請求項２】
請求項１記載の方法において、
前記コンピュータ資産の動作に対応するポリシを設定するステップと、
前記ポリシの違反があると判断されたときには、前記コンピュータ資産の動作を制限するステップと、
を更に含むことを特徴とする方法。
【請求項３】
請求項１記載の方法において、前記ライセンスの確認が成功したときには前記サーバに告知するステップを更に含むことを特徴とする方法。
【請求項４】
請求項１記載の方法において、前記ライセンスと関連付けられた課金を支払い口座に累積するステップを更に含むことを特徴とする方法。
【請求項５】
請求項４記載の方法において、前記ライセンスと関連付けられた課金を累積するステップは、前記ライセンスの確認が成功したときに前記サーバに告知する後で前記ライセンスと関連付けられた課金を累積するステップを含むことを特徴とする方法。
【請求項６】
請求項１記載の方法において、前記識別子はハードウェア識別子とサービス・プロバイダ識別子とを含むことを特徴とする方法。
【請求項７】
請求項１記載の方法において、前記ライセンスを生成するステップは前記ライセンスにデジタル署名するステップを含むことを特徴とする方法。
【請求項８】
請求項１記載の方法において、前記ライセンスを確認するステップは、前記コンピュータの安全な実行環境における暗号機能を用いて前記ライセンスを確認するステップを含むことを特徴とする方法。
【請求項９】
コンピュータと関連付けられた資産の計測された使用をライセンスするシステムであって、
前記資産の計測された使用と関連付けられたライセンスに対するリクエストを処理するサーバを備えており、
前記コンピュータは、動作範囲の内部で一意的な識別子を有し、前記サーバに結合されており前記ライセンスをリクエスト及び受け取るように動作可能であり、前記ライセンスを暗号的に確認し前記ライセンスの条件に従って前記資産の使用を計測するように動作可能であることを特徴とするシステム。
【請求項１０】
請求項９記載のシステムにおいて、前記サーバに結合されており前記ライセンスに対する前記コンピュータからのリクエストを認証する暗号ユニットを更に備えており、前記リクエストは前記識別子を含むことを特徴とするシステム。
【請求項１１】
請求項９記載のシステムにおいて、前記サーバに結合されている暗号化ユニットであって、鍵の対と、前記コンピュータからの登録リクエストに応答する識別子を含む証明書とを生成する暗号化ユニットを更に備えており、前記登録リクエストは前記識別子を含むことを特徴とするシステム。
【請求項１２】
請求項９記載のシステムにおいて、前記資産の計測された使用と関連付けられたライセンスに対するリクエストの処理に対応する支払いを処理する支払いシステムを更に備えていることを特徴とするシステム。
【請求項１３】
請求項１２記載のシステムにおいて、前記支払いシステムはクレジット・システムとデビット・システムとプリペイド・システムとポストペイド・システムとの中の１つであることを特徴とするシステム。
【請求項１４】
請求項９記載のシステムにおいて、前記コンピュータは前記ライセンスの条件に従って前記資産の使用を計測する計測回路を備えていることを特徴とするシステム。
【請求項１５】
請求項１４記載のシステムにおいて、前記コンピュータの前記計測回路は前記ライセンスの条件に到達したときには前記資産の使用を制限する機能を備えていることを特徴とするシステム。
【請求項１６】
請求項９記載のシステムにおいて、前記コンピュータは前記リクエストを暗号的に署名し前記ライセンスを暗号的に確認する暗号回路を備えていることを特徴とするシステム。
【請求項１７】
請求項９記載のシステムにおいて、前記コンピュータは前記識別子を記憶する安全なメモリを備えており、前記識別子はハードウェア識別子と第３者の識別子とを含むことを特徴とするシステム。
【請求項１８】
請求項９記載のシステムにおいて、前記コンピュータは動作ポリシに従った動作を判断し前記コンピュータの動作が前記動作ポリシの順守から外れたときには前記コンピュータの機能を制限するサンクション機能を備えていることを特徴とするシステム。
【請求項１９】
計測されたビジネス・モデルにおいて用いるためのコンピュータであって、
プロセッサと、
前記プロセッサに結合されており識別子を記憶する安全なメモリであって、前記識別子は前記コンピュータと関連付けられたハードウェア識別子とプロバイダ識別子とを含む、安全なメモリと、
前記プロセッサに結合された暗号ユニットと、
前記識別子を含む登録リクエストをサービス・プロバイダまで搬送し登録応答を受け取る入力／出力回路と、
を備えており、前記プロセッサは、前記暗号ユニットを付勢して前記登録応答のデジタル署名を確認し、前記登録応答の一部を前記安全なメモリに記憶するように動作可能であることを特徴とするコンピュータ。
【請求項２０】
請求項１９記載のコンピュータにおいて、安全な実行環境を更に備えており、前記入力／出力回路は、前記識別子を含む臨時パケットと前記コンピュータの少なくとも１つの資産を使用するライセンスとを受け取るように動作可能であり、前記暗号ユニットは、前記登録応答の前記記憶されている一部を用いて前記臨時パケットを確認するように動作可能であり、前記安全な実行環境は前記ライセンスに従って前記少なくとも１つの資産の使用を計測することを特徴とするコンピュータ。
【発明の詳細な説明】
【技術分野及び背景技術】
【０００１】
しばらくまえから、商品やサービスが、ペイ・パー・ユース方式又は加入ベースで、販売されてきている。数十年前には、プリペイドの場合とポストペイドの場合があったが、新聞は加入方式で販売された。すなわち、新聞が配達される前に又は配達された後で支払いがなされる方式である。ポストペイド式の加入は、加入者の側にある程度のクレジットを想定するものであった。より最近では、携帯電話はプリペイド又はポストペイド方式で利用されている。後者の場合には、利用者は支払いの前に用いられたサービスに対して法的に支払い義務を負う加入契約が必要になる。
【０００２】
人々に加入を勧めるために、携帯電話キャリアは、加入期間にわたる電話のコストに相当する携帯電話の価格に補助金を与えることがある。やはり、これは、加入者の側にある程度のクレジットを想定するものであり、携帯電話キャリア又はサービス・プロバイダが契約条件を強制することと結び付けられいる。例えば、加入者が加入費用や毎月の請求額を払わなかった時には、キャリアは、単にネットワークへの携帯電話アクセスを許可しないことになる。電話をするのに使用できない場合には、ほとんどの携帯電話、特に補助金が交付されているものは、ほとんど価値を有しない。
【０００３】
期間上の加入料の代わりの補助金が交付された機器のモデルは、特に世界の後進地域における他のタイプの機器（例えばコンピュータ・システム）にとって魅力的である。しかし、携帯電話と異なり、コンピュータが任意のネットワーク又は他のサービス・プロバイダがコントロールするアクセス・ポイントから切り離されると、補助金付きコンピュータを交付することと関連する困難は、ユーザに利用可能なコンピュータの重要な機能性と同様に、システムに内在的なものとなる。
【発明の概要】
【０００４】
補助金付きのコンピュータ機器を搬送するシステムは、コンピュータを付勢し使用可能なライセンス又はペイ・パー・ユース又は加入方式でコンピュータによって用いられる臨時パケットを提供するプロバイダ側のリソースを用いる。ペイ・パー・ユース、ペイ・アズ・ユー・ゴー、加入方式などの方式は、一般的に計測された動作と称される。臨時（プロビジョニング）パケット、ペイ・パー・ユース、ぺー・アズ・ユー・ゴー価値の累積、加入期間承認は、一般にライセンスと称される。コンピュータの全体が計測された動作に対してライセンスされているとしても、ハードウェア、ソフトウェア又は両方を含む個々のコンポーネントは、計測された動作に対してライセンスが可能である。１台のコンピュータの全部又は一部をアンダーライトするには、様々な提供が可能である。異なる複数の主体がこれらの提供に交付金を提供する又はスポンサすることが可能であるので、当該のコンピュータに対する特定のハードウェア識別子と特定の提供に対するアンダーライタ／プロバイダ識別子とを含む識別子を用いて、個別的にアンダーライトされたコンポーネント又はサービスを識別することができる。
【０００５】
特定のコンピュータＩＤ及び提供ＩＤの両方を含む識別子を用いることにより、ライセンスは、個別（granular）の場合もプロバイダごとになることもある。このライセンスは別のコンピュータでは用いることができないし、このライセンスは、別の資産を与える指定されたコンピュータにおいて用いることもできない。それぞれの提供はホスト側で別個に説明されるので、アンダーライタ／プロバイダは、コンピュータによって、提供による支払いを識別してトラッキングすることが可能である。サーバなど、プロバイダ側のリソースは、金銭に関係する取引を行うために、任意の数の現在の又は将来の支払い処理システムに結合することが可能である。例えば、クレジット・カード、デビット・カード、スクラッチ・カード・プリペイ、銀行などとの間にリンクを確立して、支払い取引を完了することができる。所定の数の広告を見る代わりにライセンスを提供するなど、インセンティブを与えるプランを用いることもできる。
【発明を実施するための最良の形態】
【０００６】
次のテキストでは多数の異なる実施例の詳述を述べるが、本発明の法的な範囲は、特許請求の範囲に記載された文言によって定義される。この詳細な説明は、例示としてのみ解釈されるべきであり、すべての可能性がある実施例を記載したものではない。というのは、すべてを記載するのは、不可能ではないとしても実際的でないからである。現在の技術又は特許出願の優先日の後に開発された技術のいずれかを用いて、多数の代替的な実施例を実装することができるが、それらも、特許請求の範囲によってカバーされる。
【０００７】
この特許出願の特許請求の範囲に記載された文言が一貫した態様でこの特許出願で言及されるのは、読者を混乱させるためではなく、明瞭性を維持するためである。特許請求の範囲で用いられる文言は格別に断らない限りは単一の意味に限定されることを意図していない。
【０００８】
本発明の機能の多くと本発明の原理の多くは、ソフトウエア・プログラム又は命令と、特定用途向け集積回路（ＡＳＩＣ）などの集積回路において最良の形態で実装される。当業者であれば、そのようなソフトウェア命令、プログラム及びＩＣを参照の実験を通じて実現することができる。従って、本発明による原理及び概念を不明瞭にするすべての危険性を最小化するために、そのようなソフトウェア及びＩＣに関する更なる議論は、好適実施例の原理及び概念に関して本質的なものに制限されている。
【０００９】
図１は、ペイ・パー・ユース型のコンピュータ・システムを実装するのに用いられるネットワーク１０を図解している。ネットワーク１０は、インターネット、仮想プライベート・ネットワーク（ＶＰＮ）、又は、１又は複数のコンピュータや通信装置やデータベースなそを相互に接続することを可能にする任意のそれ以外のネットワークである。ネットワーク１０は、イーサネット（登録商標）１６、ルータ１８及び地上回線２０を介して、パーソナル・コンピュータ１２及びコンピュータ端末１４に接続される。他方では、ネットワーク１０は、無線通信局２６及び無線リンク２８を介して、ラップトップ・コンピュータ２２やパーソナル・データ・アシスタント（ＰＤＡ）２４に接続される。同様に、サーバ３０は通信リンク３２を用いてネットワーク１０に接続され、また、メインフレーム３４は、別の通信リンク３６を用いてネットワーク１０に接続される。
【００１０】
図２は、ネットワーク１０に接続され動的ソフトウェア・プロビジョニング・システムの１又は複数のコンポーネントを実装するのに使用されることがあるコンピュータ１１０の形式を有する計算機を図解している。コンピュータ１１０のコンポーネントは、限定を意味しないが、演算処理装置１２０と、システム・メモリ１３０と、演算処理装置１２０へのシステム・メモリを含む様々なシステム・コンポーネントを結合するシステム・バス１２１を含む。システム・バス１２１は、様々なバス方式の中の任意のものを用いた、メモリ・バス又はメモリ・コントローラ、周辺バス、ローカル・バスを含むいくつかのタイプのバス構造のいずれかである。例示であって限定を意味しないが、そのようなアーキテクチャは、インダストリ・スタンダード・アーキテクチャ（ＩＳＡ）バス、マイクロチャネル・アーキテクチャ（ＭＣＡ）バス、エンハンストＩＳＡ（ＥＩＳＡ）バス、ビデオ・エレクトロニクス・スタンダーズ・アソシエーション（ＶＥＳＡ）ローカル・バス、メザニン・バスとして知られているペリフェラル・コンポーネント・インターコネクト（ＰＣＩ）バスなどを含む。
【００１１】
処理ユニット１２０は、また、安全（セキュア）な実行環境１２５を含む。安全な実行環境１２５は、暗号処理から計測及び平衡管理まで様々なセキュリティ機能を含むように設定することが可能である。安全な実行環境１２５の役割は、図３を参照しながら後述する。
【００１２】
コンピュータ１１０は、典型的には、様々なコンピュータ読取可能な媒体を含む。コンピュータ読取可能な媒体は、コンピュータ１１０がアクセスできる任意の使用可能な媒体であり、揮発性及び不揮発性の両方の媒体を含み、取外し可能及び取り外し不可能な媒体を含む。例示であって限定を意味しないが、コンピュータ読取可能な媒体は、コンピュータ記憶媒体と通信媒体とを含む。コンピュータ記憶媒体は、揮発性及び不揮発性、取り外し可能及び不可能な媒体を含み、コンピュータ読取可能な命令、データ構造、プログラム・モジュール又はそれ以外のデータのような情報の記憶のために、任意の方法又は技術で実装可能である。コンピュータ記憶媒体は、限定は意味しないが、ＲＡＭ、ＲＯＭ、ＥＥＰＲＯＭ、フラッシュ・メモリ又は他のメモリ技術、ＣＤ−ＲＯＭ、ＤＶＤ又は他の光学ディスク記憶装置、磁気カセット、磁気テープ、磁気ディスク記憶装置又は他の磁気記憶装置、所望の情報を記憶するために用いることができコンピュータ１１０によってアクセスされた可能な任意のそれ以外の記憶媒体も含む。通信媒体は、典型的には、コンピュータ読取可能な命令、データ構造、プログラム・モジュール、又は、搬送波や他の転送機構などの変調されたデータ信号における他のデータを含み、また、任意の情報配送媒体も含む。「変調されたデータ信号」という用語は、その特性の１又は複数が設定されている信号、又は、信号における情報をエンコード出来るような態様で変更された信号を意味する。限定ではなく例示であるが、通信媒体は、有線ネットワークやダイレクトワイアードの接続などの有線媒体と、音声、無線周波数、赤外線及びそれ以外の無線媒体などの無線媒体とを含む。上述のものの任意の組合せも、コンピュータ読取可能な媒体の範囲に含まれる。
【００１３】
システム・メモリ１３０は、ＲＯＭ１３１やＲＡＭ１３２などの揮発性及び／又は不揮発性のメモリの形式を有するコンピュータ記憶媒体を含む。始動の間などにコンピュータ１１０において構成要素の間で情報を転送するのを支援する基本ルーチンを含む基本入出力システム１３３（ＢＩＯＳ）は、ＲＯＭ１３１に典型的に格納される。ＲＡＭ１３２は、典型的には、演算処理装置１２０に直ちにアクセス可能である及び／又は演算処理装置１２０によって現に作用されているデータ及び／又はプログラム・モジュールを含む。限定ではなく例示であるが、図２は、オペレーティング・システム１３４、アプリケーション・プログラム１３５、他のプログラムモジュール１３６及び番組データ１３７を図解している。
【００１４】
コンピュータ１１０は、更に、他の取外し可能／取外し不可能、揮発性／不揮発性コンピュータ記憶媒体を含む。単なる例示であるが、図２は、取外不可能で不揮発性の磁気媒体との間で読み書きをするハード・ディスク・ドライブ１４０、取外し可能で不揮発性の磁気ディスク１５２との間で読み書きをする磁気ディスク装置１５１、及びＣＤＲＯＭ又は他の光学の媒体などの取外し可能で不揮発性の光ディスク１５６との間で読み書きをする光ディスクドライブ１５５を図解している。例示的な動作環境において用いられる他の取外し可能／取外し不可能で、揮発性／不揮発性のコンピュータ記憶媒体は、限定は意味しないが、磁気カセットテープ、フラッシュ・メモリ・カード、ＤＶＤ、デジタル・ビデオ・テープ、ソリッドステートＲＡＭ、ソリッドステートＲＯＭなどを含む。ハード・ディスク・ドライブ１４１は、典型的には、インターフェース１４０のような取外し不可能なメモリ・インターフェースを介してシステム・バス１２１に接続される。また、磁気ディスク・ドライブ１５１及び光ディスク・ドライブ１５５は、インターフェース１５０のような取り外し可能（リムーバブル）なメモリ・インターフェースによってシステム・バス１２１に典型的に接続される。
【００１５】
上述し図２に図解されているドライブ及び関連するコンピュータ記憶媒体は、コンピュータ読取り可能な命令、データ構造、プログラム・モジュール、及びコンピュータ１１０のための他のデータの記憶を提供する。図２では、例えば、ハードディスク・ドライブ１４１は、オペレーティング・システム１４４、アプリケーション・プログラム１４５、他のプログラムモジュール１４６、及びプログラム・データ１４７を記憶するものとして図解されている。これらのコンポーネントは、オペレーティング・システム１３４、アプリケーション・プログラム１３５、他のプログラムモジュール１３６及びプログラム・データ１３７と同じことも異なることもありうる。オペレーティング・システム１４４、アプリケーション・プログラム１４５、他のプログラム・モジュール１４６及びプログラム・データ１４７には、最小では、それらが異なるコピーであることを図解するためにここで異なる参照番号が与えられている。ユーザは、キーボード１６２や、マウス、トラックボール又はタッチパッドなどと一般に呼ばれるポインティング・デバイス１６１を介して、コンピュータ２０にコマンドと情報を入力する。別の入力装置として、ウェブ・カム１６３として知られている、インターネットを介して画像を送るためのカメラもある。他の入力装置（図示せず）には、マイクロホン、ジョイスティック、ゲーム・パッド、衛星ディッシュ、スキャナなどを含む。これら及び他の入力装置は、システム・バスに結合されたユーザ入力インターフェース１６０を介して、演算処理装置１２０に接続されることが多いが、パラレル・ポート、ゲーム・ポート又はユニバーサル・シリアル・バス（ＵＳＢ）などの他のインターフェース及びバス構造によって接続されることもある。モニタ１９１又は他のタイプの表示装置も、ビデオインタフェース１９０のようなインターフェース経由でシステム・バス１２１に接続される。モニタに加え、コンピュータは、更に、スピーカ１９７及びプリンタ１９６のような他の周辺の出力デバイスを含むことがある。これらは、出力周辺インタフェース１９５を介して接続可能である。
【００１６】
コンピュータ１１０は、リモート・コンピュータ１８０のような１又は複数のリモート・コンピュータへの論理的接続を用いたネットワーク環境で動作する。リモート・コンピュータ１８０は、パーソナル・コンピュータ、サーバ、ルータ、ネットワークＰＣ、ピア・デバイス又は他の一般的なネットワーク・ノードであり、典型的には、コンピュータ１１０との関係で上述した要素の多く又は全部を含む。ただし、図２には、メモリ記憶装置１８１だけが図解されている。図２に示されている論理的接続は、ローカル・エリア・ネットワーク（ＬＡＮ）１７１とワイド・エリア・ネットワーク（ＷＡＮ）１７３とを含むが、更にに他のネットワークを含むこともある。そのようなネットワーキング環境は、オフィス、企業全体に渡るコンピュータ・ネットワーク、イントラネット及びインターネットにおいて一般的である。
【００１７】
ＬＡＮネットワーキング環境の中で用いられるときには、コンピュータ１１０は、ネットワーク・インタフェイス又はアダプタの１７０を介してＬＡＮ１７１に接続されている。ＷＡＮネットワーキング環境の中で用いられるときには、コンピュータ１１０は、典型的には、モデム１７２又はインターネットなどＷＡＮ１７３の上で通信を確立するための他の手段を含む。モデム１７２は、内蔵型も外付け型もありうるが、ユーザー入力インターフェース１６０を介して、又は、それ以外の適切な機構を介して、システム・バス１２１に接続される。ネットワーク環境では、コンピュータ１１０又はその一部との関係で示されているプログラム・モジュールは、リモート記憶装置に記憶される。制限ではなく例示であるが、図２は、メモリ・デバイス１８１上に常駐するものとしてリモート・アプリケーション・プログラム１８５を示している。図示されているネットワーク接続は例示であり、コンピュータ間の通信リンクを確立する他の手段を用いることも可能である。
【００１８】
図３は、コンピュータの計測された動作をサポートするシステムのブロック図である。システム３００は、コンピュータ３０２とサーバ３０４とを含んでいる。暗号ユニット３０６は、サーバ３０４の一部か、又は、個別のデバイスである。サーバ３０４に結合された支払いシステム３０８は、コンピュータ３０２に計測された機能を供給することと共に使用されてもよい。
【００１９】
コンピュータ３０２は、コンピュータ１１０の測定された動作の管理および執行のために、安全な実行環境１２５と共に、追加的な機能を持っていることがある。暗号ユニット３１０は、標準的な暗号化及びデジタル署名処理に使用されてもよい。安全なメモリ３１２は、開封を防止する態様でデータを格納することがある。サンクション（制裁）機能３１４及び計測機能３１６は、使用契約の条件を執行するために使用されるが、詳細な後述する。暗号ユニット３１０とサンクション及び計測機能３１４及び３１６は、特別の動作環境及び関連する危険要因の必要に応じて、ハードウェア又はソフトウェアとして実装される。
【００２０】
動作の際には、ユーザは、測定された方法で使用されるコンピュータ又は同様の電子デバイスを受け取る。サービス・プロバイダ又は他のアンダーライタは、コンピュータ３０２の使用をカバーする支払いのためのユーザからのコミットメントと引き替えに、割引きされた値段で、あるいは無料でコンピュータを提供することがある。計測された使用は、無制限の毎月の使用として加入契約式で管理されることがあるし、又は、実際のコンピュータ時間が購入され消費されるというペイ・パー・ユース方式の場合もある。計測は、コンピュータの全体だけでなく、ハードウェア及びソフトウェアの個別的な要素に関して用いられることもある。ここで「提供（又は、提示）」という用語は、全体のコンピュータ３０２を含むライセンスの対象となる使用に従う任意の要素又は組合せを意味する。コンピュータ資産は、さらに、コンピュータ全体又はその一部を指し、ハードウェア、ソフトウェア又はそれらの組合せのいずれかを指す。
【００２１】
さらに、サービスは、同様のやり方で購入され提供されることがあり、例えば、インターネット・アクセスは、加入又はそれ以外の計測を基礎としてカバーすることが可能である。
【００２２】
ユーザー、まず、コンピュータ３０２をサーバ３０４に登録する。登録リクエストは、ハードウェア識別子と、アンダーライタ・プロバイダ識別子と、初期設定キーを含む。サーバ３０４は、複数の識別子と初期設定キーとの妥当性を確認し、ライセンスを処理するのに用いる証明書をコンピュータ３０２に証明書を送り返す。いったんコンピュータ３０２が提示に対応する少なくとも１つの証明書を受け取り確認したならば、ユーザは、コンピュータ又は計測された要素の使用を可能にするライセンスを要求する。サーバ３０４とコンピュータ３０２との間のコミュニケーションは、図１のネットワーク１０のようなネットワークを介することがあるが、リムーバブルな媒体や手動で入力されたデータを含むこともある。
【００２３】
サーバ３０４は、ライセンスに対するリクエストを受け取り、識別子を確認する。識別子は、コンピュータのハードウェアＩＤとアンダーライタＩＤとの両方を含み、識別子の組合せは、コンピュータ全体の場合であっても個々の要素の場合であっても、一意的に特定の提示を識別する。上述したように、個々のアンダーライタは、コンピュータ３０２又はその動作の異なる側面をカバーする提示に参加することがある。
【００２４】
ユーザは、慣習的な方法で、支払いシステム３０８への経路３１８経由で、資金を提供することがある。上述したように、支払いシステム３０８は、クレジット、デビット又はプリペイドなど１又は複数の既知の取引システムでありうる。ライセンスに対するリクエストを処理する際に、サーバ３０４は、支払いシステム３０８において資金（ファンド）の利用可能性を確認して、ライセンス・トランザクションが無事完了した後に、その資金を移動するか、又は、移動のためにその資金を保持する。支払いシステム３０８又はサーバ３０４のいずれかにおける資金の累積は、クレジット・システムにおいて用いられている方式に応じて変動し、値がサーバ３０４において累積される場合もあるし、その期間の最後に相殺のための支払いがなされることもある。反対に、プリペイド方式を用いる場合には、資金がその期間の最初に転送されることがある。いずれの場合も、１つの実施例によれば、値は、ライセンスがコンピュータ３０２に搬送されたことが確認された後になってはじめて、転送される。別の実施例では、値は、ライセンスの生成及び発送の直後に転送されることがある。
【００２５】
その後、サーバ３０４は、コンピュータ３０２によって消費のためにライセンス（やはり臨時（プロビジョニング）パケットと称される）を生成する。ライセンスは署名され、ハードウェアＩＤとアンダーライタＩＤとの一意的な組合せを更に含む。その署名は、暗号ユニット３０６によって実行されることがある。暗号ユニット３０６は、サーバ３０４に組み入れられることがあるし、別個の場合もある。例えば、暗号ユニット３０６は、認証機関で見られるものと類似するサービスの一部であることがある。更に、ライセンスは、指定されたコンピュータ３０２上でのリプレイを防ぐためにシーケンス番号を含んでいることがある。
【００２６】
ハードウェア識別子とアンダーライタ識別子の組合せは、複数の提示が１つのコンピュータ３０２上で維持されることを可能にする。これらの組合せは、他のコンピュータ上のライセンスの使用を防ぐと共に、個々の提示プロバイダに関する監査可能な金融上の記録も維持する。
【００２７】
その後、ライセンスはコンピュータ３０２で受け取られ、暗号ユニット３１０によって確認される。この確認は、ライセンスのデジタル署名の確認、識別子の確認、又は、シーケンス番号の妥当性の確認を含みうる。ライセンスの確認が成功すると、コンピュータ３０２又は他のライセンスされた提示は、正常な方法で利用される。オプションではあるが、確認がサーバ３０４へ送られることがある。ライセンスは、適切な単位（例えば分単位）での測定する使用を伝えることがあるし、安全なメモリ３１２にバランス値として安全に記憶されることがある。使用の間に、計測は生じることがあり、また、ライセンスに関連する値が、特別の支払いスケジュールによって消費されることがある。例えば、ペイ・アズ・ユー・ゴー方式の実施例では、ライセンスは、指定された分数の使用を与え、計測によりコンピュータが使用された分数が判断される。支払いスケジュールは数分であることがあるし、また、分単位での計測が、ライセンスの値の消費するのに使用される。別の典型的な実施例である加入方式では、ライセンスは３０日間の無制限の使用を与える場合がある。この場合の支払いスケジュールは、３０日間の期間である。また、計測は、終了日のチェックが本質的である。更に別の例であるプリンターの使用では、支払いスケジュールは印刷されたシートであり、計測は印刷動作の数に相当する。別の実施例は、１日の中の時刻による異なるレートでのインターネットへのアクセスをカバーすることがある。この場合には、たとえ計測が分単位であっても、支払いスケジュールは、１日の中の時刻に従って変化することがあり、オフピークのインターネット使用は、例えば計測された時間の３０秒あたりで、ピーク期間からの異なるレートで値が消費される。
【００２８】
ライセンスによって伝えられた値が消費されたか、他のある指定されたスレショルドに達すると、コンピュータ３０２又はコンピュータ３０２と関連付けられた特定の提供は、新たなライセンスを要求し受け取ることが許容される以外には、動作が制限される。この制限は、ライセンスの条件やコンピュータ３０２を用いる試みに応じて、又は、スレショルドに到達した後の他の提供に応じて、警告から、パフォーマンスの低下、システム・リセット、システムの完全なシャットダウンなど様々なである。
【００２９】
さらに、コンピュータ３０２は、ハッキングのターゲットになることがあるし、また、計測された方式以外の使用を可能にすることを試みるそれ以外の攻撃のターゲットになることもある。したがって、ポリシは、コンピュータ３０２が攻撃にさらされている又は危険にさらされたかどうか判断するために、システムのモニタリングおよび測定を指定する場合もある。モニタリングや測定ができないことを含んで、ポリシが破られたと判断される場合には、コンピュータ又は資産の動作は、上の場合と同様に制限される。
【００３０】
上述した概念とテクニックにより、ネットワーク接続性が離散的であったり不可能である場合であっても、将来の使用に基づく交付金付きの購入モデルを、携帯電話などの現在のネットワーク・ベースのモデルからコンピュータや同様の電子デバイスに拡張することを可能にする。ハードウェアとコンピュータ全体又はコンピュータの要素を表す提供とに対する二重の識別子を用いることにより、提供プロバイダに対する金銭的な説明可能性を維持しながら、個別的（顆粒状、granular）なライセンシングが可能になる。コンピュータ３０２がそれ自体で計測を行いそれ自体でサンクションを課する能力により、ネットワークから切り離されているときであっても、提供されたコンピュータ、コンピュータのコンポーネント、又は、それ以外の組合せを詐欺的使用を妨げることが可能になる。
【００３１】
当業者であれば、上述した実施例に対して様々な修正や変更が可能であることを理解するはずであり、それには、モニタリング及びサンクション付与のためのハードウェア又はソフトウェアの異なる組合せを含む。従って、以上の明細書及び図面は限定を意味せず単なる例示であり、そのような修正はすべて本発明の範囲に含まれる。
【図面の簡単な説明】
【００３２】
【図１】複数のコンピュータ・リソースを相互接続するネットワークのブロック図である。
【図２】本発明の実施例によるシステムのブロック図である。
【図３】コンピュータの計測された動作をサポートするシステムのブロック図である。
【図１】
2009508257.tif 000003
【図２】
2009508257.tif 000004
【図３】
2009508257.tif 000005
【国際調査報告】
2009508257.tif 000006
2009508257.tif 000007